(57)【特許請求の範囲】
【請求項１】
ラップトップ型コンピュータの携帯具であって、
第１バンドと、
前記第１バンドに設けられ、前記ラップトップ型コンピュータの表示部の背面に、前記第１バンドを取り付ける第１取付部と、
前記第１バンドに接続される第２バンドと、
前記第２バンドに設けられ、前記ラップトップ型コンピュータの本体部の背面に前記第２バンドを取り付ける第２取付部と、
前記第１バンドと前記第２バンドとの接続箇所に設けられて、前記第１バンドの前記第１取付部が設けられる取付箇所から、前記第１バンドと前記第２バンドとの接続箇所を経て、前記第２バンドの前記第２取付部が設けられる取付箇所までにおける、前記第２バンドの長さを変化させる長さ調整部と、
を備え、
前記長さ調整部は、
前記第１バンド及び前記第２バンドの延在方向において、前記第１バンドの前記第１取付部が設けられる取付箇所と前記第２バンドの前記第２取付部が設けられる取付箇所との間に設けられており、
前記ラップトップ型コンピュータに取り付けられた際には、前記ラップトップ型コンピュータの前記本体部における、前記ラップトップ型コンピュータが開いた際に前記表示部と近い側の端面に、位置する、
ラップトップ型コンピュータの携帯具。
【請求項２】
前記第１バンド及び前記第２バンドは、それぞれ一対設けられており、
一方の前記第１バンドと他方の前記第１バンドとを接続する第１持ち手部と、
一方の前記第２バンドと他方の前記第２バンドとを接続する第２持ち手部と、を更に備える、請求項１に記載のラップトップ型コンピュータの携帯具。
【請求項３】
前記第１持ち手部と前記第２持ち手部とは、長さが変化可能である、請求項２に記載のラップトップ型コンピュータの携帯具。
【請求項４】
前記第１持ち手部は前記第１バンドから着脱可能であり、前記第２持ち手部は前記第２バンドから着脱可能である、請求項２又は請求項３に記載のラップトップ型コンピュータの携帯具。
【請求項５】
前記第１バンドの、前記第１取付部が設けられる取付箇所と前記第２バンドとの接続箇所との間の固定箇所に設けられ、前記第１バンドと交差する方向に延在する部材であって、前記ラップトップ型コンピュータを囲って、前記第１バンドを前記ラップトップ型コンピュータと共に挟むことで、前記固定箇所において前記第１バンドを前記ラップトップ型コンピュータに固定する固定バンドを更に備える、請求項１から請求項４のいずれか１項に記載のラップトップ型コンピュータの携帯具。
【請求項６】
前記第１バンドと前記第２バンドとの一方に、ポケットが取り付けられる、請求項１から請求項５のいずれか１項に記載のラップトップ型コンピュータの携帯具。
【請求項７】
請求項１から請求項６のいずれか１項に記載のラップトップ型コンピュータの携帯具の取付け方法であって、
前記第１取付部によって、前記表示部の背面に、前記第１バンドを取付ける第１バンド取付ステップと、
前記第２取付部によって、前記本体部の背面に、前記第２バンドを取付ける第２バンド取付ステップと、
前記長さ調整部によって、前記第２バンドの長さを変化させる長さ調整ステップと、
を含む、ラップトップ型コンピュータの携帯具の取付け方法。
【発明の詳細な説明】
【技術分野】
【０００１】
本発明は、ラップトップ型コンピュータの携帯具及びラップトップ型コンピュータの携帯具の取付け方法に関する。
【背景技術】
【０００２】
ラップトップ型コンピュータを持ち運ぶ際には、ラップトップ型コンピュータにカバーやケースを取り付ける場合がある。例えば特許文献１には、ラップトップ型コンピュータとマウスなどの周辺機器とを収納するケースが記載されている。特許文献１に記載のケースは、ラップトップ型コンピュータとケースとを閉じた状態で持ち運び、ケースを開いた状態でラップトップ型コンピュータを開くことで、ケース内にラップトップ型コンピュータを収納した状態で、ラップトップ型コンピュータを使用可能である旨が記載されている。
【先行技術文献】
【特許文献】
【０００３】
【特許文献１】特開２００５−３４２４９３号公報
【発明の概要】
【発明が解決しようとする課題】
【０００４】
しかし、特許文献１のケースは、ラップトップ型コンピュータを内部に収納するため、例えば電源を入れたままラップトップ型コンピュータを持ち運ぶ際に、ラップトップ型コンピュータの熱がケース内部に籠ってしまうおそれがある。また、ケース型だと重量が大きくなる傾向にあるため、持ち運びの際に不便となる場合もある。このように、ラップトップ型コンピュータを適切に持ち運ぶためには、改善の余地がある。
【０００５】
本発明は、上記課題を解決するために、ラップトップ型コンピュータを適切に持ち運び可能なラップトップ型コンピュータの携帯具及びラップトップ型コンピュータの携帯具の取付け方法を提供することを目的とする。
【課題を解決するための手段】
【０００６】
上述した課題を解決し、目的を達成するために、本発明に係るラップトップ型コンピュータの携帯具は、ラップトップ型コンピュータの携帯具であって、第１バンドと、前記第１バンドに設けられ、前記ラップトップ型コンピュータの表示部の背面及び前記ラップトップ型コンピュータの本体部の背面の一方に、前記第１バンドを取り付ける第１取付部と、前記第１バンドに接続される第２バンドと、前記第２バンドに設けられ、前記表示部の背面及び前記本体部の背面の他方に前記第２バンドを取り付ける第２取付部と、前記第１バンドの前記第１取付部が設けられる取付箇所から、前記第１バンドと前記第２バンドとの接続箇所を経て、前記第２バンドの前記第２取付部が設けられる取付箇所までにおける、前記第１バンド及び前記第２バンドの少なくとも一方の長さを変化させる長さ調整部と、を備える。
【０００７】
前記第１バンド及び前記第２バンドは、それぞれ一対設けられており、一方の前記第１バンドと他方の前記第１バンドとを接続する第１持ち手部と、一方の前記第２バンドと他方の前記第２バンドとを接続する第２持ち手部と、を更に備えることが好ましい。
【０００８】
前記第１持ち手部と前記第２持ち手部とは、長さが変化可能であることが好ましい。
【０００９】
前記第１持ち手部は前記第１バンドから着脱可能であり、前記第２持ち手部は前記第２バンドから着脱可能であることが好ましい。
【００１０】
前記第１バンドの、前記第１取付部が設けられる取付箇所と前記第２バンドとの接続箇所との間の固定箇所に設けられ、前記第１バンドと交差する方向に延在する部材であって、前記ラップトップ型コンピュータを囲って、前記第１バンドを前記ラップトップ型コンピュータと共に挟むことで、前記固定箇所において前記第１バンドを前記ラップトップ型コンピュータに固定する固定バンドを更に備えることが好ましい。
【００１１】
前記第１バンドと前記第２バンドとの一方に、ポケットが取り付けられることが好ましい。
【００１２】
上述した課題を解決し、目的を達成するために、本発明に係るラップトップ型コンピュータの携帯具の取付け方法は、前記ラップトップ型コンピュータの携帯具の取付け方法であって、前記第１取付部によって、前記表示部の背面及び前記本体部の背面の一方に、前記第１バンドを取付ける第１バンド取付ステップと、前記第２取付部によって、前記表示部の背面及び前記本体部の背面の他方に、前記第２バンドを取付ける第２バンド取付ステップと、前記長さ調整部によって、前記第１バンド及び前記第２バンドの少なくとも一方の長さを変化させる長さ調整ステップと、を含む。
【００１３】
本発明によれば、ラップトップ型コンピュータを適切に持ち運ぶことができる。
【図面の簡単な説明】
【００１４】
【図１】図１は、本実施形態に係る携帯具がコンピュータに取付けられた状態を示す斜視図である。
【図２】図２は、本実施形態に係る携帯具の模式図である。
【図３】図３は、本実施形態に係る携帯具がコンピュータに取付けられた状態を示す側面図である。
【図４】図４は、本実施形態に係る携帯具がコンピュータに取付けられた状態を示す側面図である。
【図５】図５は、本実施形態に係る携帯具の他の例を示す図である。
【図６】図６は、本実施形態に係る携帯具の他の例を示す図である。
【発明を実施するための形態】
【００１５】
以下に添付図面を参照して、本発明の好適な実施形態を詳細に説明する。なお、この実施形態により本発明が限定されるものではなく、また、実施形態が複数ある場合には、各実施例を組み合わせて構成するものも含むものである。
【００１６】
図１は、本実施形態に係る携帯具がコンピュータに取付けられた状態を示す斜視図である。図１に示すように、本実施形態に係る携帯具１０は、コンピュータＰに取付けられる。ユーザは、携帯具１０が取り付けられたコンピュータＰを持ち運ぶことができる。コンピュータＰは、ラップトップ型コンピュータ、言い換えれば、ノート型パソコンである。コンピュータＰは、表示部Ｐ１と本体部Ｐ２とを備え、表示部Ｐ１と本体部Ｐ２とが開閉可能となっている。表示部Ｐ１は、ディスプレイが搭載されている。表示部Ｐ１のディスプレイが設けられる側の面を、表面Ｐ１Ａとし、表面Ｐ１Ａと反対側の面を、背面Ｐ１Ｂとする。また、本体部Ｐ２は、コンピュータＰのＣＰＵ（Ｃｅｎｔｒａｌ  Ｐｒｏｃｅｓｓｉｎｇ  Ｕｎｉｔ）、メモリ、及びキーボードなどの操作部（入力部）が搭載されている。本体部Ｐ２において、キーボードなどの操作部が搭載されている面を、表面Ｐ２Ａとし、表面Ｐ２Ａと反対側の面を、背面Ｐ２Ｂとする。
【００１７】
（携帯具の構成）
携帯具１０は、コンピュータＰの全体を覆うケース状でなく、コンピュータＰの一部を覆うバンド状の携帯具である。図２は、本実施形態に係る携帯具の模式図である。図２は、携帯具１０がコンピュータＰから取り外されている状態を示している。図２に示すように、携帯具１０は、第１バンド２０Ａ、２０Ｂと、第１取付部２２と、第２バンド２４Ａ、２４Ｂと、第２取付部２５と、長さ調整部２６Ａ、２６Ｂと、第１持ち手部２８Ａと、第２持ち手部２８Ｂと、ポケット３０と、固定バンド３２と、を備える。
【００１８】
第１バンド２０Ａは、端部４０から端部４２まで延在する帯状の部材である。第１バンド２０Ａの一方側の面を面２０ａとし、面２０ａと反対側の面を面２０ｂとする。第１バンド２０Ａは、面２０ｂに、第１取付部２２が設けられている。より具体的には、第１バンド２０Ａは、面２０ｂ側の、延在方向における端部４０と端部４２との間の箇所である取付箇所４４に、第１取付部２２が設けられる。取付箇所４４は、第１バンド２０Ａの延在方向において端部４０側に位置しており、例えば、延在方向における端部４０と端部４２との中央位置よりも、端部４０側に位置している。
【００１９】
また、第１バンド２０Ａは、端部４２が、長さ調整部２６Ａに接続されている。また、第１バンド２０Ａは、面２０ａ側の、延在方向における端部４０と端部４２との間の箇所である固定箇所４６に、固定バンド３２が設けられる。固定箇所４６は、第１バンド２０Ａの延在方向において端部４２側に位置しており、例えば、取付箇所４４よりも端部４２側（取付箇所４４と端部４２との間）に位置している。さらに言えば、固定箇所４６は、延在方向における取付箇所４４と端部４２との中央位置よりも、端部４２側に位置していることが好ましい。
【００２０】
第１バンド２０Ｂも、第１バンド２０Ａと同様の構成となっている。すなわち、第１バンド２０Ｂも、端部４０から端部４２まで延在する帯状の部材であり、面２０ｂ側の取付箇所４４に第１取付部２２が設けられ、面２０ａ側の固定箇所４６に固定バンド３２が設けられる。第１バンド２０Ｂは、端部４２が、長さ調整部２６Ｂに接続されている。このように、携帯具１０は、一対の第１バンド２０Ａ、２０Ｂを備えている。以下、第１バンド２０Ａと第１バンド２０Ｂとを区別しない場合は、第１バンド２０と記載する。
【００２１】
第１取付部２２は、シート状の部材であり、表面２２ａと、表面２２ａの反対側の表面である表面２２ｂとを有する。本実施形態では、第１取付部２２は、表面２２ａと表面２２ｂとに、他の部材と接着可能な接着部が設けられる。第１取付部２２は、表面２２ａが、第１バンド２０の面２０ｂ側の取付箇所４４に接着されており（図３参照）、第１バンド２０に対して、位置が固定されている。第１取付部２２は、第１バンド２０Ａと第１バンド２０Ｂとのそれぞれについて設けられている。
【００２２】
なお、本実施形態においては、第１取付部２２は、例えば両面テープであるが、表面２２ａが第１バンド２０の面２０ｂ側の取付箇所４４に取付けられ、表面２２ｂが他の部材（ここでは表示部Ｐ１の背面Ｐ１Ｂ）に取付け可能であれば、両面テープに限られない。
【００２３】
第１持ち手部２８Ａは、第１バンド２０Ａと第１バンド２０Ｂとを接続する帯状の部材であり、ユーザの持ち手となる部分である。第１持ち手部２８Ａは、一方の端部が第１バンド２０Ａの端部４０に接続され、他方の端部が第１バンド２０Ｂの端部４０に接続される。第１持ち手部２８Ａは、第１バンド２０Ａ及び第１バンド２０Ｂに対して着脱可能に構成されていてよく、長さの異なる第１持ち手部２８Ａが設けられていてもよい。例えば、ユーザは、例えば肩に掛けたり手に持ったりなど、持ち運びの方法に応じて、長い第１持ち手部２８Ａと短い第１持ち手部２８Ａとのいずれかを選択して、第１バンド２０Ａ及び第１バンド２０Ｂに取付けることができる。
【００２４】
ポケット３０は、第１バンド２０の面２０ａに取付けられる。ポケット３０は、例えばコンピュータＰのバッテリやマウスなどの周辺機器を収納可能な収納部である。ポケット３０は、第１バンド２０の延在方向において、取付箇所４４と固定箇所４６との間に設けられる。また、ポケット３０は、第１バンド２０Ａから第１バンド２０Ｂにわたって設けられる。ただし、ポケット３０の設けられる位置は、以上の説明に限られず任意であり、例えば第２バンド２４に設けられてもよい。
【００２５】
固定バンド３２は、第１バンド２０の固定箇所４６に設けられる。固定バンド３２は、端部３２ａから端部３２ｂまで、第１バンド２０の延在方向に対して交差する方向に延在する帯状又は紐状の長軸の部材である。固定バンド３２は、端部３２ａと端部３２ｂとの間の箇所３２ｃにおいて、第１バンド２０Ａの面２０ａ側の固定箇所４６に取付けられており、第１バンド２０Ａの面２０ａ側の固定箇所４６に対して位置が固定されている。また、固定バンド３２は、箇所３２ｃと端部３２ｂとの間の箇所３２ｄにおいて、第１バンド２０Ｂの面２０ａ側の固定箇所４６に取付けられており、第１バンド２０Ｂの面２０ａ側の固定箇所４６に対して位置が固定されている。すなわち、固定バンド３２は、一対の第１バンド２０Ａ、２０Ｂに対して１つ設けられている。
【００２６】
固定バンド３２は、端部３２ａと端部３２ｂとが、互いに接続可能となっている。固定バンド３２は、端部３２ａと端部３２ｂとが接続されることで、輪状となる。なお、端部３２ａと端部３２ｂとは、例えば面ファスナーであるが、接続可能であれば任意の構成であってよい。また、本実施形態では、端部３２ａ及び端部３２ｂのみが、他方と接続可能な接続部を構成しているが、例えば固定バンド３２の端部３２ａ及び端部３２ｂ以外の箇所も接続部を構成してよい。すなわち例えば、固定バンド３２の全体が面ファスナーとなっており、端部３２ａと、端部３２ｂと箇所３２ｄとの間の箇所とが、接続されてもよい。
【００２７】
第２バンド２４Ａは、端部５０から端部５２まで延在する帯状の部材である。第２バンド２４Ａの一方側の面を面２４ａとし、面２４ａと反対側の面を面２４ｂとする。第２バンド２４Ａは、面２４ｂに、第２取付部２５が設けられている。より具体的には、第２バンド２４Ａは、面２４ｂ側の、延在方向における端部５０と端部５２との間の箇所である取付箇所５４に、第２取付部２５が設けられる。取付箇所５４は、第２バンド２４Ａの延在方向において端部５０側に位置しており、例えば、延在方向における端部５０と端部５２との中央位置よりも、端部５０側に位置している。
【００２８】
第２バンド２４Ａは、長さ調整部２６Ａに対して移動可能に接続されている。第２バンド２４Ａは、第１バンド２０Ａに対して接続されており、より具体的には、長さ調整部２６Ａを介して、第１バンド２０Ａに接続されている。本実施形態では、第２バンド２４Ａは、第１バンド２０Ａと別体であり、第１バンド２０Ａと第２バンド２４Ａとの２本の帯状部材が、長さ調整部２６Ａを介して接続される構成となっている。ただし、第１バンド２０Ａと第２バンド２４Ａとは、一体、すなわち１本の帯状部材であってもよい。
【００２９】
第２バンド２４Ｂも、第２バンド２４Ａと同様の構成となっている。すなわち、第２バンド２４Ｂも、端部５０から端部５２まで延在する帯状の部材であり、面２４ｂ側の取付箇所５４に第２取付部２５が設けられる。第２バンド２４Ｂは、長さ調整部２６Ｂに対して移動可能に接続されている。第２バンド２４Ｂは、第１バンド２０Ｂに対して接続されており、より具体的には、長さ調整部２６Ｂを介して、第１バンド２０Ｂに接続されている。このように、携帯具１０は、一対の第２バンド２４Ａ、２４Ｂを備えている。なお、以下、第２バンド２４Ａと第２バンド２４Ｂとを区別しない場合は、第２バンド２４と記載する。
【００３０】
第２取付部２５は、シート状の部材であり、一方の表面２５ａと、表面２５ａの反対側の表面である表面２５ｂとを有する。本実施形態では、第２取付部２５は、表面２５ａと表面２５ｂとに、他の部材と接着可能な接着部が設けられる。第２取付部２５は、表面２５ａが、第２バンド２４の面２４ｂ側の取付箇所５４に接着されており（図３参照）、第２バンド２４に対して、位置が固定されている。第２取付部２５は、第２バンド２４Ａと第２バンド２４Ｂとのそれぞれについて設けられている。
【００３１】
なお、本実施形態においては、第２取付部２５は、例えば両面テープであるが、表面２５ａが第２バンド２４の面２４ｂ側の取付箇所５４に取付けられ、表面２５ｂが他の部材（ここでは本体部Ｐ２の背面Ｐ２Ｂ）に取付け可能であれば、両面テープに限られない。第２取付部２５は、取付けられる箇所以外は、第１取付部２２と同じ構成であってよい。
【００３２】
第２バンド２４Ａと第２バンド２４Ｂとには、第２持ち手部２８Ｂが接続されている。第２持ち手部２８Ｂは、第２バンド２４Ａと第２バンド２４Ｂとを接続する帯状の部材であり、ユーザの持ち手となる部分である。第２持ち手部２８Ｂは、一方の端部が第２バンド２４Ａの端部５０に接続され、他方の端部が第２バンド２４Ｂの端部５０に接続される。第２持ち手部２８Ｂは、第２バンド２４Ａ及び第２バンド２４Ｂに対して着脱可能に構成されていてよく、長さの異なる第２持ち手部２８Ｂが設けられていてもよい。例えば、ユーザは、持ち運びの方法に応じて、長い第２持ち手部２８Ｂと短い第２持ち手部２８Ｂとのいずれかを選択して、第２バンド２４Ａ及び第２バンド２４Ｂに取付けることができる。なお、以下、第１持ち手部２８Ａと第２持ち手部２８Ｂとを区別しない場合は、持ち手部２８と記載する。
【００３３】
次に、長さ調整部２６Ａについて説明する。長さ調整部２６Ａは、第２バンド２４Ａの長さを変化させる機構である。長さ調整部２６Ａは、第２バンド２４Ａの取付箇所５４から、第２バンド２４Ａの長さ調整部２６Ａに接続されている箇所（接続箇所５６）までの、第２バンド２４Ａの長さを変化させる。また、本実施形態では、第１バンド２０Ａは、長さ調整部２６Ａに対して位置が変化しない（固定される）ように、長さ調整部２６Ａに接続されている。図２の例では、長さ調整部２６Ａは、枠部２６ａと、軸部２６ｂとを備える。枠部２６ａは、枠状の部材である。軸部２６ｂは、枠部２６ａの内側に設けられており、枠部２６ａの内側に形成される開口を、開口２６ｃ１と開口２６ｃ２とに区分けする。第１バンド２０Ａは、端部４２が、枠部２６ａに対して固定されている。そして、第２バンド２４Ａは、端部５２が、長さ調整部２６Ａの裏面側から表面側に向けて開口２６ｃ１内を通されて、さらに、長さ調整部２６Ａの表面側から裏面側に開口２６ｃ２内を通される。これにより、例えば第２バンド２４Ａの端部５２側を引っ張ることで、取付箇所５４から接続箇所５６までの、第２バンド２４Ａの長さが短くなり、例えば第２バンド２４Ａの端部５０側を引っ張ることで、取付箇所５４から接続箇所５６までの、第２バンド２４Ａの長さが長くなる。このようにして、長さ調整部２６Ａによる第２バンド２４Ａの長さ調整が可能となる。なお、第２バンド２４Ａは、長さ調整部２６Ａを介して第１バンド２０Ａに接続されているため、長さ調整部２６Ａは、第２バンド２４Ａの取付箇所５４から、第２バンド２４Ａの第１バンド２０Ａとの接続箇所までの、第２バンド２４Ａの長さを変化させているともいえる。
【００３４】
ただし、長さ調整部２６Ａの構成は、図２の例で説明したものに限られず、第２バンド２４Ａの長さを調整可能であれば、任意の構成であってよい。例えば、第１バンド２０Ａと第２バンド２４Ａとが面ファスナーなどの着脱可能な接続部で接続されており、この接続部を長さ調整部２６Ａとしてもよい。すなわち、第１バンド２０Ａと第２バンド２４Ａとの接続部での接続位置を変えることで、第２バンド２４Ａの取付箇所５４から、第２バンド２４Ａの第１バンド２０Ａとの接続箇所までの、第２バンド２４Ａの長さを調整してもよい。また、本実施形態では、第１バンド２０Ａが長さ調整部２６Ａに対して固定されているため、第１バンド２０Ａの取付箇所４４から、第１バンド２０Ａの長さ調整部２６Ａとの接続箇所（第１バンド２０Ａの第２バンド２４Ａとの接続箇所）までの、第１バンド２０Ａの長さは、変化せずに一定である。ただし、長さ調整部２６Ａは、第１バンド２０Ａの取付箇所４４から、第１バンド２０Ａの長さ調整部２６Ａとの接続箇所（第１バンド２０Ａの第２バンド２４Ａとの接続箇所）までの、第１バンド２０Ａの長さを変化させてもよい。すなわち、長さ調整部２６Ａは、第１バンド２０の取付箇所４４から、第１バンド２０と第２バンド２４との接続箇所（第１バンド２０と第２バンド２４との長さ調整部２６Ａに接続される箇所）を経て、第２バンド２４の取付箇所５４までにおける、第１バンド２０及び第２バンド２４の少なくとも一方の長さを変化させるといえる。
【００３５】
長さ調整部２６Ｂは、第１バンド２０Ｂ及び第２バンド２４Ｂに接続される以外は、長さ調整部２６Ａと同様の構成であるため、詳細な説明は省略する。長さ調整部２６Ｂは、第２バンド２４Ｂの取付箇所５４から、第２バンド２４Ｂの長さ調整部２６Ｂとの接続箇所（第２バンド２４Ｂの第１バンド２０Ｂとの接続箇所）までの、第２バンド２４Ｂの長さを調整する。以下、長さ調整部２６Ａ、２６Ｂを区別しない場合は、長さ調整部２６と記載する。
【００３６】
なお、本実施形態では、第１バンド２０に固定バンド３２が設けられることで、第２バンド２４の長さを調整しても、第１バンド２０の延在方向において固定バンド３２が取り付けられる位置を固定可能である。ただし、第２バンド２４に固定バンド３２が設けられてもよい。
【００３７】
（携帯具のコンピュータへの取付け）
次に、携帯具１０のコンピュータＰへの取付け状態について説明する。図３及び図４は、本実施形態に係る携帯具がコンピュータに取付けられた状態を示す側面図である。図３は、携帯具１０が取り付けられたコンピュータＰが開いた状態を示しており、図４は、携帯具１０が取り付けられたコンピュータＰが閉じた状態を示している。図３に示すように、コンピュータＰが開いた状態とは、表示部Ｐ１の表面Ｐ１Ａと本体部Ｐ２の表面Ｐ２Ａとが対向しておらず、表示部Ｐ１の表面Ｐ１Ａと本体部Ｐ２の表面Ｐ２Ａとが外部に露出した状態を指す。コンピュータＰが開いた状態で、ユーザはコンピュータＰを操作できる。一方、図４に示すように、コンピュータＰが閉じた状態とは、表示部Ｐ１の表面Ｐ１Ａと本体部Ｐ２の表面Ｐ２Ａとが対向して、表示部Ｐ１の表面Ｐ１Ａと本体部Ｐ２の表面Ｐ２Ａとが外部に露出していない状態を指す。ユーザは、コンピュータＰが閉じた状態で、コンピュータＰを持ち運ぶ。
【００３８】
図３に示すように、携帯具１０をコンピュータＰに取付ける際には、第１バンド２０Ａ、２０Ｂに取付けられている第１取付部２２の表面２２ｂを、コンピュータＰの表示部Ｐ１の背面Ｐ１Ｂに接着させる。これにより、第１バンド２０Ａ、２０Ｂが、第１取付部２２を介して、取付箇所４４においてコンピュータＰの表示部Ｐ１の背面Ｐ１Ｂに取付けられて、取付箇所４４において表示部Ｐ１の背面Ｐ１Ｂに固定される。すなわち、第１取付部２２は、第１バンド２０Ａ、２０Ｂを、コンピュータＰの表示部Ｐ１の背面Ｐ１Ｂに取付ける。ここで、表示部Ｐ１の上側の端面を端面Ｐ１ａとし、端面Ｐ１ａと反対側の面、すなわち下側の端面を、端面Ｐ１ｂとする。端面Ｐ１ａは、コンピュータＰを開いた状態で本体部Ｐ２と遠い側の面であり、端面Ｐ１ｂは、コンピュータＰを開いた状態で本体部Ｐ２と近い側の面である。第１バンド２０Ａ、２０Ｂは、第１取付部２２（取付箇所４４）が、端面Ｐ１ａから端面Ｐ１ｂに向かう方向において端面Ｐ１ａ側に位置するように、表示部Ｐ１の背面Ｐ１Ｂに取付けられる。また、第１バンド２０Ａと第１バンド２０Ｂとは、端面Ｐ１ａから端面Ｐ１ｂに向かう方向に直交する方向（図３では紙面の奥行方向）に並ぶように、表示部Ｐ１の背面Ｐ１Ｂに取付けられる。
【００３９】
また、携帯具１０をコンピュータＰに取付ける際には、第２バンド２４Ａ、２４Ｂに取付けられている第２取付部２５の表面２５ｂを、コンピュータＰの本体部Ｐ２の背面Ｐ２Ｂに接着させる。これにより、第２バンド２４Ａ、２４Ｂが、第２取付部２５を介して、取付箇所５４においてコンピュータＰの本体部Ｐ２の背面Ｐ２Ｂに取付けられて、取付箇所５４において本体部Ｐ２の背面Ｐ２Ｂに固定される。すなわち、第２取付部２５は、第２バンド２４Ａ、２４Ｂを、コンピュータＰの本体部Ｐ２の背面Ｐ２Ｂに取付ける。ここで、本体部Ｐ２の一方の端面を端面Ｐ２ａとし、端面Ｐ２ａと反対側の面を、端面Ｐ２ｂとする。端面Ｐ２ａは、コンピュータＰを開いた状態で表示部Ｐ１と遠い側の面であり、端面Ｐ２ｂは、コンピュータＰを開いた状態で表示部Ｐ１と近い側の面である。この場合、第２バンド２４Ａ、２４Ｂは、第２取付部２５（取付箇所５４）が、端面Ｐ２ａから端面Ｐ２ｂに向かう方向において端面Ｐ２ａ側に位置するように、本体部Ｐ２の背面Ｐ２Ｂに取付けられる。また、第２バンド２４Ａと第２バンド２４Ｂとは、端面Ｐ２ａから端面Ｐ２ｂに向かう方向に直交する方向（図３では紙面の奥行方向）に並ぶように、本体部Ｐ２の背面Ｐ２Ｂに取付けられる。
【００４０】
第１バンド２０Ａ、２０Ｂの取付箇所４４を表示部Ｐ１の背面Ｐ１Ｂに取付け、第２バンド２４Ａ、２４Ｂの取付箇所５４を本体部Ｐ２の背面Ｐ２Ｂに取付けたら、長さ調整部２６Ａ、２６Ｂによって、第２バンド２４Ａ、２４Ｂの長さ調整を行う。例えばこの場合、第１バンド２０Ａ、２０Ｂの面２０ｂが表示部Ｐ１の背面Ｐ１Ｂに密着し、第２バンド２４Ａ、２４Ｂの面２４ｂが本体部Ｐ２の背面Ｐ２Ｂに密着するように、言い換えれば、第１バンド２０Ａ、２０Ｂ及び第２バンド２４Ａ、２４Ｂが弛まずにコンピュータＰを締め付けるように、第２バンド２４Ａ、２４Ｂの長さ調整を行う。長さ調整を行ったら、第１バンド２０Ａ、２０Ｂに取付けられている固定バンド３２を、コンピュータＰに巻き付ける。具体的には、固定バンド３２の端部３２ａと端部３２ｂとを、表示部Ｐ１の端面Ｐ１ｂにおける表面Ｐ１Ａ側までわたして、表面Ｐ１Ａ側で接続する。これにより、第１バンド２０Ａ、２０Ｂは、固定箇所４６において、固定バンド３２と表示部Ｐ１とに挟まれて、固定箇所４６において、表示部Ｐ１に固定される。以上で、携帯具１０のコンピュータＰへの取付けが完了する。
【００４１】
このようにコンピュータＰに取付けられた携帯具１０は、図４に示すように表示部Ｐ１の表面Ｐ１Ａの画面や本体部Ｐ２の操作部を覆わないため、ユーザは、携帯具１０をコンピュータＰに取り付けたままコンピュータＰを開いて、コンピュータＰを操作することができる。また、コンピュータＰを持ち運ぶ際には、図５に示すように、携帯具１０をコンピュータＰに取り付けたまま、コンピュータＰを閉じる。携帯具１０は、長さ調整部２６によって第１バンド２０と第２バンド２４とがコンピュータＰを締め付けるように長さ調整されており、固定バンド３２で、第１バンド２０の固定箇所４６を表示部Ｐ１の端面Ｐ１ｂに固定している。従って、図５に示すように、例えばユーザが持ち手部２８を持ってコンピュータＰを持ち上げた場合、携帯具１０は、第１バンド２０の固定箇所４６、さらに言えば、第１バンド２０及び第２バンド２４の表示部Ｐ１の端面Ｐ１ｂや本体部Ｐ２の端面Ｐ２ｂに接触している箇所に、コンピュータＰの荷重が作用する。このように、携帯具１０は、コンピュータＰが持ち運ばれる際に、コンピュータＰの鉛直方向下側の面（端面Ｐ１ｂや端面Ｐ２ｂ）でコンピュータＰを支持するため、コンピュータＰのバランスが崩れることを抑えて、コンピュータＰを適切に保持する。また、第１バンド２０と第２バンド２４とは、取付箇所４４、５４においてもコンピュータＰに取付けられているため、多点での支持により、コンピュータＰを安定して保持できる。
【００４２】
また、携帯具１０は、第１バンド２０と第２バンド２４とでコンピュータＰを保持するため、コンピュータＰの全体を覆わず、コンピュータＰの一部を外部に露出させている。そのため、携帯具１０は、コンピュータＰの全体を覆うケースなどに比べ、軽量にすることができる。また、コンピュータＰの熱は、携帯具１０に覆われていない部分から、適切に放出される。また、携帯具１０がコンピュータＰの全体を覆わないため、マウスやバッテリなどの周辺機器をコンピュータＰに繋いだまま、コンピュータＰを持ち運ぶこともできる。このように、本実施形態に係る携帯具１０によると、コンピュータを適切に持ち運ぶことができる。
【００４３】
なお、本実施形態では、第１バンド２０を表示部Ｐ１に取り付け、第２バンド２４を本体部Ｐ２に取付けたが、逆に、第１バンド２０を本体部Ｐ２に取付け、第２バンド２４を表示部Ｐ１に取付けてもよい。
【００４４】
次に、携帯具１０の他の例について説明する。図５及び図６は、本実施形態に係る携帯具の他の例を示す図である。例えば図５に示すように、持ち手部２８は、持ち手部２８の長さを調整する長さ調整部２９ａを備えていてもよい。長さ調整部２９ａは、例えば長さ調整部２６と同じ構成であるが、持ち手部２８の長さを変更可能であれば、任意の構成であってよい。携帯具１０は、持ち手部２８の長さを変化可能とすることで、ユーザの持ち運びの方法に応じて、持ち手部２８の長さを適切な長さにすることができる。
【００４５】
また、図６に示すように、携帯具１０は、固定バンド３２を設けなくてもよい。携帯具１０は、長さ調整部２６により、コンピュータＰを締め付けるように第１バンド２０及び第２バンド２４の長さを調整できるため、固定バンド３２を設けなくても、第１バンド２０及び第２バンド２４の端面Ｐ１ｂ、Ｐ２ｂに接触している箇所で、コンピュータＰの荷重を支えることができる。またこの場合、例えば、第１取付部２２及び第２取付部２５は、ユーザがコンピュータＰを持ち上げた際に（第１取付部２２及び第２取付部２５にコンピュータＰからの荷重が作用した際に）、表示部Ｐ１の背面Ｐ１Ｂ及び本体部Ｐ２の背面Ｐ２Ｂに接着したまま、表示部Ｐ１の背面Ｐ１Ｂ及び本体部Ｐ２の背面Ｐ２Ｂに対する相対位置が、鉛直方向上側に若干移動してもよい。すなわち、コンピュータＰが持ち上げられる際に、コンピュータＰが、重力により、第１取付部２２及び第２取付部２５に対して鉛直方向下方に若干スライドしてもよい。これにより、第１バンド２０及び第２バンド２４の端面Ｐ１ｂ、Ｐ２ｂに接触している箇所は、コンピュータＰの荷重をさらに受けることになり、固定バンド３２が無い場合でも、第１バンド２０及び第２バンド２４により適切にコンピュータＰを保持できる。なお、この場合の第１取付部２２及び第２取付部２５としては、コンピュータＰに対して吸着する吸着部材が用いられることが好ましい。吸着部材を用いることで、例えば両面テープなどの粘着部材よりも、コンピュータＰが持ち上げられる際に、コンピュータＰが鉛直方向下方にスライドする可動域を適切に設定できる。
【００４６】
以上説明したように、本実施形態に係る携帯具１０は、ラップトップ型のコンピュータＰの携帯具であって、第１バンド２０と、第１取付部２２と、第１バンド２０に接続される第２バンド２４と、第２取付部２５と、長さ調整部２６とを備える。第１取付部２２は、第１バンド２０に設けられ、コンピュータＰの表示部Ｐ１の背面Ｐ１Ｂ及びコンピュータＰの本体部Ｐ２の背面Ｐ２Ｂの一方に、第１バンド２０を取り付ける。第２取付部２５は、第２バンド２４に設けられ、表示部Ｐ１の背面Ｐ１Ｂ及び本体部Ｐ２の背面Ｐ２Ｂの他方に、第２バンド２４を取り付ける。長さ調整部２６は、第１バンド２０の第１取付部２２が設けられる取付箇所４４から、第１バンド２０と第２バンド２４との接続箇所を経て、第２バンド２４の第２取付部２５が設けられる取付箇所５４までにおける、第１バンド２０及び第２バンド２４の少なくとも一方の長さを、変化させる。
【００４７】
本実施形態に係る携帯具１０は、第１バンド２０及び第２バンド２４によるバンド型の携帯具であるため、コンピュータＰの全体を覆うことなく、コンピュータＰの一部を外部に露出させる。そのため、コンピュータＰの露出している部分から放熱させることが可能となり、コンピュータＰに携帯具１０を取り付けてコンピュータＰを持ち運ぶ際にも、コンピュータに熱が籠ることを抑制できる。また、本実施形態に係る携帯具１０は、バンド型であるため、重量の増加を抑えることもできる。そのため、本実施形態に係る携帯具１０によると、ラップトップ型のコンピュータＰを適切に持ち運ぶことができる。特に、オフィス内の移動においては、簡便に用いることができるので、便利となる。さらに、本実施形態に係る携帯具１０は、長さ調整部２６により、第１バンド２０及び第２バンド２４の少なくとも一方の長さを調整可能である。従って、第１バンド２０と第２バンド２４とがコンピュータＰを締め付けるように長さ調整することが可能となり、例えばユーザが持ち手部２８を持ってコンピュータＰを持ち上げた場合に、携帯具１０は、コンピュータＰの荷重が作用する。このように、携帯具１０は、コンピュータＰの端面Ｐ１ｂ、Ｐ２ｂでコンピュータＰを支持することが可能となり、バンド型であっても、コンピュータＰを安定して保持できる。さらに、コンピュータＰの端面Ｐ１ｂ、Ｐ２ｂに加え、第１取付部２２、第２取付部２５の箇所でもコンピュータＰを支えるため、多点支持が可能となり、バンド型であっても、コンピュータＰを安定して保持できる。
【００４８】
また、第１バンド２０及び第２バンド２４は、それぞれ一対設けられている。携帯具１０は、一方の第１バンド２０Ａと他方の第１バンド２０Ｂとを接続する第１持ち手部２８Ａと、一方の第２バンド２４Ａと他方の第２バンド２４Ｂとを接続する第２持ち手部２８Ｂと、を更に備える。このように第１バンド２０と第２バンド２４とを一対ずつ設け、持ち手部で接続することで、コンピュータＰを安定して保持することができる。
【００４９】
また、第１持ち手部２８Ａと第２持ち手部２８Ｂとは、長さが変化可能であってよい。携帯具１０は、持ち手部２８の長さを変化可能とすることで、ユーザの持ち運びの方法に応じて、持ち手部２８の長さを適切な長さにすることができる。
【００５０】
また、第１持ち手部２８Ａが第１バンド２０から着脱可能であり、第２持ち手部２８Ｂが第２バンド２４から着脱可能であってよい。携帯具１０は、持ち手部２８を着脱可能とすることで、例えば長さの異なる持ち手部２８を準備して、ユーザの持ち運びの方法に応じた適切な長さの持ち手部２８を提供することができる。
【００５１】
また、携帯具１０は、固定バンド３２を備える。固定バンド３２は、第１バンド２０の、取付箇所４４と第２バンドとの接続箇所との間の固定箇所４６に設けられて、第１バンド２０と交差する方向に延在する部材である。固定バンド３２は、コンピュータＰを囲って、第１バンド２０をコンピュータＰと共に挟むことで、固定箇所４６において、第１バンド２０をコンピュータＰに固定する。携帯具１０は、固定バンド３２によって、第１バンド２０の固定箇所４６をコンピュータＰに固定することで、第１バンド２０の固定箇所４６で、コンピュータＰの底面を適切に支持させることができ、コンピュータＰを安定して保持することができる。
【００５２】
また、第１バンド２０と第２バンド２４との一方には、ポケット３０が取り付けられてよい。ポケット３０を設けることで、例えば周辺機器を、コンピュータＰに接続したままポケット３０に収納することが可能となり、コンピュータＰの持ち運びを容易にできる。
【００５３】
また、本実施形態に係る携帯具１０のコンピュータＰへの取付方法は、第１バンド取付ステップと、第２バンド取付ステップと、長さ調整ステップと、を含む。第１バンド取付ステップでは、第１取付部２２によって、表示部Ｐ１の背面Ｐ１Ｂ及び本体部Ｐ２の背面Ｐ２Ｂの一方に、第１バンド２０を取り付ける。第２バンド取付ステップでは、第２取付部２５によって、表示部Ｐ１の背面Ｐ１Ｂ及び本体部Ｐ２の背面Ｐ２Ｂの他方に、第２バンド２４を取り付ける。長さ調整ステップでは、長さ調整部２６によって、第１バンド２０の第１取付部２２が設けられる取付箇所４４から、第１バンド２０と第２バンド２４との接続箇所を経て、第２バンド２４の第２取付部２５が設けられる取付箇所５４までにおける、第１バンド２０及び第２バンド２４の少なくとも一方の長さを、変化させる。この取付方法によると、携帯具１０をコンピュータＰに適切に取り付けでき、ラップトップ型のコンピュータＰを適切に持ち運ぶことを可能にする。
【００５４】
以上、本発明の実施形態について説明したが、これら実施形態の内容によりこの発明が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態の要旨を逸脱しない範囲で構成要素の種々の省略、置換又は変更を行うことができる。
【符号の説明】
【００５５】
１０  携帯具
２０、２０Ａ、２０Ｂ  第１バンド
２２  第１取付部
２４、２４Ａ、２４Ｂ  第２バンド
２５  第２取付部
２６、２６Ａ、２６Ｂ  長さ調整部
２８  持ち手部
３０  ポケット
３２  固定バンド
Ｐ  コンピュータ
Ｐ１  表示部
Ｐ１Ｂ、Ｐ２Ｂ  背面
Ｐ２  本体部
【要約】
【課題】ラップトップ型コンピュータを適切に持ち運び可能とする。
【解決手段】携帯具１０は、ラップトップ型のコンピュータＰの携帯具であって、第１バンド２０と、第１バンド２０に設けられ、コンピュータＰの表示部Ｐ１の背面Ｐ１Ｂ及びコンピュータＰの本体部Ｐ２の背面Ｐ２Ｂの一方に、第１バンド２０を取り付ける第１取付部２２と、第１バンド２０に接続される第２バンド２４と、第２バンド２４に設けられ、表示部Ｐ１の背面Ｐ１Ｂ及び本体部Ｐ２の背面Ｐ２Ｂの他方に第２バンド２４を取り付ける第２取付部２５と、第１バンド２０の第１取付部２２が設けられる取付箇所から、第１バンド２０と第２バンド２４との接続箇所を経て、第２バンド２４の第２取付部２５が設けられる取付箇所までにおける、第１バンド２０及び第２バンド２４の少なくとも一方の長さを変化させる長さ調整部２６と、を備える。
【選択図】図１【図１】
0006750718.tif 000002
【図２】
0006750718.tif 000003
【図３】
0006750718.tif 000004
【図４】
0006750718.tif 000005
【図５】
0006750718.tif 000006
【図６】
0006750718.tif 000007